Podtech/llm-jp-corpus-v4-ja_patent huggingface dataset:
(57)【要約】【課題】レシピを見ながらお料理を作る時、調理台上方の吊戸棚の扉開閉部からレシピを吊下げる方法でレシピが見れるようにする為のメモボードを提供する。【解決手段】メモボード（１）の上部を吊戸棚（４）の扉開閉部（３）で、底板部（２）に挟み込む形で固定し、メモボード前面にレシピをマグネット等で留めたり、メモボードにマーカーでレシピ等が書けることを特徴とする。【選択図】　　図３
2004041657.tif 000002
【特許請求の範囲】
【請求項１】
吊戸棚（４）の底板部（２）を扉の開閉部（３）で挟みこんで板状の金属板が扉の開閉部（３）で直角に吊戸棚（４）下方に折れ曲がったマグネット、マーカーが使えるメモボード（１）。
【発明の詳細な説明】
【０００１】
【産業上の利用分野】
この発明は、お料理をする時お料理のレシピを汚さず、傍で見やすくする為のものである。
【０００２】
【従来の技術】
従来は離れたテーブルの上や調理場の隅に置くか、冷蔵庫の前面に貼りつけるかしてお料理のレシピを見ていた。
【０００３】
【発明が解決しようとする課題】
お料理をする時材料や分量、手順等レシピを見る度に調理台から離れたり、振りかえったりして不便を感じていた。又、レシピを汚すことも多かった。
【０００４】
【課題を解決するための手段】
調理台上の吊戸棚（４）の底板部（２）の上に置いて、扉の開閉部（３）で直角に下方に折れ曲がった、マグネット、マーカーが使えるメモボード（１）で、最下部は前面に曲げることで、レシピのメモだけでなくピンチで留める事により雑誌や、本も置けるようにした。又、より安定させる為に吊戸棚（４）の底板部（２）が挟み込めるメモボード（１）に直角に底板部（２）に添って、底板部（２）にのせた幅と同じか短い同質の支え板（５）を取り付けた。メモボード（１）の厚さは吊戸棚（４）の扉を閉じた状態で利用できる厚さである。　メモボード（１）の切断面は危険防止
のための保護材を取り付ける。
【０００５】
【発明の効果】
本発明は次のような効果がある。
（イ）レシピを見るとき調理台を離れないで、顔を上げるだけで見ることが出来る。
（ロ）レシピを汚すこともない。
（ハ）レシピだけでなく、他のメモ板としても使える。
（ニ）留具、接着剤を使わないので着脱が簡単で邪魔な時ははずしておおける。
（ホ）テーブルの上などでは、逆さに置いてメモボードになる。
【図面の簡単な説明】
【図１】本発明の平面図である。
【図２】本発明の斜視図である。
【図３】本発明の設置図である。
【図４】本発明の使用図である。
【符号の説明】
１　本体
２　吊戸棚の底板部
３　扉の開閉部
４　吊戸棚
５　支え板
【図１】
2004041657.tif 000003
【図２】
2004041657.tif 000004
【図３】
2004041657.tif 000005
【図４】
2004041657.tif 000006
(57)【要約】可変式ストラップを付けたペニスホルダー【課題】従来の包茎治療具並びに包皮牽引具、および勃起持続装具はそれぞれ別々のものだったものを、一つのペニスホルダーとして多目的使用具として提供する。【解決手段】ストラップの輪（１）に陰茎括り輪（２）を付属させ、それにペニスの先端を填めるリングストラップ（５）とそれを可変するゴム状止め具（４）を装したストラップ（３）を設けたことを特徴とする。【選択図】　図１
2004041652.tif 000002
【特許請求の範囲】
【請求項１】
ゴム状のストッパーが付いたストラップで男性器の亀頭、又は包皮、並びに陰茎の根元を締め付け固定することが出来る３帯のストラップから成るペニスホルダー。
【発明の詳細な説明】
【０００１】
【発明の属する技術分野】
この発明は、男性器に常時装着することにより多目的に利用することが出来るように工夫されたペニスホルダーに関するものである。
【０００２】
【従来の技術】
従来のこうしたサポーターは包茎矯正具として、包茎を直す目的のみに作られたものがほとんどであった。
【０００３】
【発明が解決しようとする課題】
今日、性に関する意識の変化に伴い、包茎に対する考え方も変り、包茎無用論から包茎も自然体の一つであるという考え方が生まれてきた。包茎願望という別のコンプレックスも生まれつつあり、そうした多様な考え方に対応するために、新たに新しい器具が開発される必要が生まれてきたといえる。
【０００４】
【課題を解決するための手段】
この発明は可変式ストッパーの付いたストラップという簡易な構造で使い方により３つの目的別に使用することができるものである。
（イ）　包茎矯正具として、包茎コンプレックスを持った男性の為に先端のリング状のストラップ（５）に露出した亀頭を常時填め合わせることにより仮性包茎を矯正することができる。
（ロ）　（イ）とは逆に、包皮を強制的に亀頭部に包被する目的で、包皮を陰茎部先端に引き寄せ、先頭の包皮に可変式ストラップ（５）で締めることにより包茎状態を作り、常時亀頭を包被することで刺激に鈍化した亀頭を鋭敏に変える目的をもった包茎形成具として利用できるようにしたものである。
（ハ）　性生活の実際時に装着することにより、２帯のストラップ（２）（５）の輪の締め付けにより長時間勃起状態を持続することが出来、豊かな性生活の補完的役割をも兼ね備えたものである。
（ニ）　サイズ可変式ゴム止め具の弛緩により、男性器の大小に応じ絞め具合を自由に対応できる。また汚れた場合も石鹸等で清潔に洗浄できる耐久構造と簡易性をも兼ね備えている。
【０００５】
【発明の実施の形態】
（イ）　ストラップの帯、輪（１）で男性器全体の根元を固定する。
（ロ）　男性器の陰茎部を（１）のストラップの帯輪の上部に付けた小さい輪（２）に通すことで陰茎部を固定する。
（ハ）　（１）のストラップの帯輪の後方部より伸びた長めのストラップ（３）の先端に付属するストッパーで可変するリング状のストラップ（５）に男性器の包皮又は亀頭部を装着する。又、陰茎部の根元に（５）を同様に装着することにより、勃起持続作用を持たせることが出来る。
【０００６】
【発明の効果】
可変式ストッパーの効果で（１）包茎矯正具として（２）包茎形成具として（３）勃起持続具としての、３通りの目的別に使用することが出来る３帯のストラップで出来たペニスホルダーである。
【図面の簡単な説明】
【図１】本発明の斜視図である。
【図２】本発明の平面図である。
【図３】本発明の側面図である。
【符号の説明】
１　男性器ホルダー
２　陰茎ホルダー
３　ストラップ
４　ゴム状止め具
５　リングストラップ
【図１】
2004041652.tif 000003
【図２】
2004041652.tif 000004
【図３】
2004041652.tif 000005
(57)【要約】　　　（修正有）【課題】従来、雨天時の救急災害現場において、ストレッチャー・各種担架で傷病者を搬送する際、濡れる傷病者に対して有効な手段がないことからから、迅速かつ簡単に装着が可能で、傷病者の容態観察と保護を目的とした、安価で、コンパクトな雨よけカバーを提供。【解決手段】ストレッチャー・各種担架の広範囲にわたって使用及び取り付けが可能な収納袋Ａと一体化された雨よけカバーＢで、折りたたんでコンパクトに収納できる特徴をもち、雨よけカバーは透明な防水性素材５を使用し、傷病者全身を容態観察ができる状態で包み込むように覆って雨に濡れることを防止し、カバーに装着された、すべり止めのついたクリップ２個と金属芯の入った自由に湾曲するバネ棒９を使用して、ストレッチャー・各種担架の本体に迅速かつ容易に装着し、傷病者の顔面上方には空間をもたせ、圧迫感を与えない状態を維持しながらの搬送を可能にする。【選択図】図１
2004041651.tif 000002
【特許請求の範囲】
【請求項１】
救急災害現場で、傷病者搬送用に使用されている、ストレッチャー・各種担架の雨天時における、傷病者の雨濡れ保護を目的とした、雨よけカバーである。ストレッチャー・各種担架等の広範囲にわたって、使用及び取り付けが可能で、収納袋と一体化され、折りたたんでコンパクトに収納できる特徴をもち、雨よけカバーは透明な防水性素材を使用し、傷病者の全身を容態観察ができる状態で包み込むように覆って雨に濡れることを防止し、雨よけカバーに装着されたすべり止めのついたクリップ２個と金属芯の入った自由に湾曲するバネ棒を利用して、傷病者の顔面上方に空間をもたせ、圧迫感を与えない構造をとりながら、迅速かつ容易に装着が可能で、一刻を争う救急災害現場においての有効な活動を実現させたことを特徴とする収納袋一体式の雨よけカバー。
【発明の詳細な説明】
【０００１】この発明は雨天時における救急災害発生時、傷病者搬送に使用しているストレッチャー・各種担架に取り付けて（常時取り付けも可能）出動し、傷病者を担架に収容後、収納袋内から引き出し拡げて、折りたたみ可能なクリップ付きの金属バネ棒を軸骨として有する透明な防水性の雨よけカバーで、傷病者を包み込むように覆い、担架本体にクリップで固定することによって、救急車等に搬送するまでに発生していた、傷病者が雨に濡れることによる、体温低下等の容態悪化を防止するためのものである。
【０００２】
【発明の属する技術分野】
この発明は、ストレッチャー・各種担架で、雨天時に傷病者を収容した際に使用する雨よけカバーに関する。
【０００３】
【従来の技術】
従来、雨天時における救急災害現場では、ストレッチャー・各種担架での傷病者搬送時の雨対策について簡単で有効な手段がなかった。緊急性が高く過酷な救急災害現場において使用可能で、傷病者に対し、迅速で有効な活動ができる雨よけカバーの開発は長年なされておらず、雨に濡れる傷病者への負担は現在も放置されている。
【０００４】
【発明が解決しようとする課題】
このように、緊急性が高く過酷な救急災害現場において、効果ある活動を行うことができる、コンパクトに折りたたんで収納することができ、ストレッチャー、各種担架の広範囲にわたって使用及び取り付けが可能で、傷病者の容態観察が容易で、傷病者の全身を覆うとともに、顔面上方には空間をもたせ、圧迫感を与えないような構造をとり、一刻を争う救急災害現場において、迅速かつ容易に装着でき、傷病者に対して効果ある活動ができる雨よけカバーが長年開発されていない。
そこで、この発明は上記の問題を解決した、収納袋一体式の雨よけカバー提供することを課題とする。
【０００５】
【課題を解決するための手段】
以上の課題を解決するために、請求項１の発明は、ストレッチャー・各種担架の広範囲にわたって使用及び取り付けが可能で、収納袋と一体化し、折りたたんでコンパクトに収納できる特徴をもち、雨よけカバーは、透明な防水性素材とすべり止めのついたクリップ２個と金属芯の入った自由に湾曲するバネ棒から構成され、傷病者の全身を容態観察ができる状態で包み込むように覆って雨に濡れることを防止し、傷病者の顔面上方には空間をもたせて、圧迫感を与えない構造をとり、迅速かつ容易に装着できできることを特徴とする収納袋一体式の雨よけカバーである。
【０００６】
【発明の実施の形態】
この発明の実施形態を、図面を参照して説明すると、図１に示すように、雨よけカバーは、収納袋Ａと防水性素材の透明な雨よけカバーＢから構成されている。収納袋Ａは、蓋（１）付きのバック型で背面の両端に、ストレッチャー・各種担架の持ち手をとおすための、はとめ穴（２）があけてあり、両側面には肩掛けベルト兼用のマジックテープ付き取り付け用ベルト（３）がある。収納袋Ａは背面部の内側部分にある取り付け用マジックテープ（４）で、雨よけカバーＢと結合され一体化が行われている。収納袋Ａの取り付け状況を図３に示す。
【０００７】雨よけカバーＢは、防水性素材の透明カバー（５）・反射テープ（６）・メッシュ換気口（７）・マジックテープ付きバンド（８）及びクリップ付き金属バネ棒（９）から構成される。反射テープ（６）は夜間活動時の傷病者及び搬送隊員の安全確保をとるもので、メッシュ換気口（７）は装着時の雨よけカバー内へ空気流入を補助する役割を行ない、マジックテープ付きバンド（８）によって、雨よけカバーＢの傷病者頭部側を簡易固定するものである。
【０００８】クリップ付き金属バネ棒（９）は、すべり止めのついたクリップ２個と中心に金属芯の入った自由に湾曲するバネ棒から構成され、先端のクリップ部は、雨よけカバー装着時にストレッチャー・各種担架等の持ち手を挟んで固定する役割を行っている。バネ棒部分は自由に折りたたみが可能で、コンパクトに収納ができ、装着時には瞬時に拡がり、軸骨の役割を行って自立し、傷病者顔面上方の空間確保行うものである。クリップ付き金属バネ棒（９）の収納時の形状図を図２に示す。
【０００８】
【発明の効果】
以上説明のとおり、本発明の雨よけカバーによれば、雨天時のストレッチャー・各種担架での傷病者搬送時において、雨に濡れることによる発生していた、傷病者の体温低下等の容態悪化を防止することができ、コンパクトに収納され、装着方法も迅速で容易であることから、緊急性が高く過酷な救急災害現場において、十分に使用が可能で、傷病者に対して、効果ある活動を行うことができる。
【図面の簡単な説明】
【図１】本発明の雨よけカバーを拡げ上から見た平面図である。
【図２】クリップ付き金属バネ棒（９）の収納時の形状図である。
【図３】本発明の雨よけカバーの装着状況を示した略図である。
【符号の説明】
Ａ　収納袋
Ｂ　雨よけカバー
（１）　蓋
（２）　はとめ穴
（３）　取り付け用ベルト
（４）　取り付け用マジックテープ
（５）　透明カバー
（６）　反射テープ
（７）　メッシュ換気口
（８）　マジックテープ付きバンド
（９）　クリップ付き金属バネ棒
【図１】
2004041651.tif 000003
【図２】
2004041651.tif 000004
【図３】
2004041651.tif 000005
(57)【要約】【課題】手袋使用の畑仕事も炊事仕事も気分良く出来る。【解決手段】串に５本の指を付けた、こんな簡単な道具をあれこれ考え長い間かかったのが信じられなかった。【選択図】　　　　図１
2004041658.tif 000002
【特許請求の範囲】
【請求項１】
手袋を使用後、洗って干す時（手袋干し串）に使用する。
【発明の詳細な説明】
【０００１】
【発明の属する技術分野】
使用後洗った手袋を簡単に早く干す事が出来る。
【０００２】
【従来の技術】
従来は、洗って裏返して手袋の先を干し物バサミで挟んで干す。
【０００３】
【発明が解決しようとする課題】
最近では、ゴム又はナイロン製の手袋を使用する人が多く、手袋も新しい内は簡単に裏返しも出来ますが古くなると用意に返りません、又、手袋の中の乾燥はなかなか難しく、それと干し物バサミで挟んだ跡が何時までも残って使いづらい欠点があります。
【０００４】
【課題を解決するための手段】
上記の問題点を解決するために、串に５本の指をつける。
【０００５】
【発明の実施の形態】
手袋を片手に持ち、他方の手で串を上から手袋に差し込む、
古くなって変形している様な手袋は、中に水を入れてから串を差し込むと効果的であります。
【０００６】
【実施例】
手袋干し串はどこでも刺し使用出来る、例えば土、砂利を入れた植木鉢等にさす事も可能です。
【発明の効果】
簡単に乾燥しやすく、気持ち良く、衛生的で、こんな商品が早くから有れば良いなあと思いました。
【図面の簡単な説明】
【図１】手袋干し串の正面図である。
【図２】手袋干し串の側面図である。
【図１】
2004041658.tif 000003
【図２】
2004041658.tif 000004
(57)【要約】【課題】家庭や病院等で手軽に、やさしく身体の要マッサージ部を有効にマッサージすることにある。【解決手段】把持部（３）の先に縦二輪のローラー（１）（２）を約５ｃｍの間隔で角度をつけて配したことによりマッサージ部を、前後に転動したとき人体の起伏にそってスムーズにかつやさしく移動が出来るようにしている。また、ローラーの個数や大きさ及び把持部の長さを適切にする事により多大な労力を要することなく、指先で揉んでいるような感覚を得ることができ身体の要マッサージ部を有効にマッサージ出来るようにしている。【選択図】　図１
2004041655.tif 000002
【特許請求の範囲】
【請求項１】
縦二輪のマッサージ用ローラーを所定間隔で配置し、棒状の把持部を有し、把持部の軸とローラー二輪の中心を結ぶ線は、一定の角度を有することを特徴とするマッサージ器。
【発明の詳細な説明】
【０００１】
【発明の技術の分野】
本発明は、人体の各部位を効率よくマッサージできる器具に関するものである。
【０００２】
【従来の技術】
ローラーを使った簡易マッサージ器具には、棒状の把持部のあるローラーが一個のものから本体に複数のローラーを有するものまで多数存在するが、前後に二輪のローラーを有するものは見られない。
【０００３】
【発明が解決しようとする課題】
従来のものでは指先でつまむような感覚が得られず、ローラーが一輪のものは、前後に移動したとき人体のマッサージ部位によっては滑落してしまい安定性に欠ける。
【０００４】また、ローラーが多数のものでは圧力が分散されてしまい、作業者の労力は増大するものの、あまり効果は向上しない。
【０００５】又、従来のものではテコの作用を応用した、揉むような動作が出来ない。
【０００６】
【課題を解決するための手段】
本発明は、上記のような課題を解決するために縦二輪のローラーを約５ｃｍの間隔で角度をつけて配したことによりマッサージ部を、前後に転動した時に人体の起伏にそってスムーズに移動が行える。また、ローラーの個数と大きさ及び把持部の長さを適切にすることにより、ローラーの接触面の圧力が適正になり、多大な労力を要することなく指先でつまむような心地よい感覚が得られる。そして、把持部を両手を添えることの出来る長さ及び太さにし前後のローラーを軸に対し一定の角度をつける事により、特に腰椎や肩などにあてがいテコのように揺り動かすマッサージが安定して行えるようにした。
【０００７】
【発明の実施の形態】
本発明のマッサージ器は、図１に示すように縦二輪のローラーを一定間隔で配し、把持部は棒状とし適切なグリップを有し、また、二輪の接触面に対して角度をつけグリップ側を持ち上げてある事によりテコのような揺動運動が可能である。
【０００８】
【実施例１】
本発明の実施例１を図１に基づいて説明する。
（１）（２）は縦二輪になっている。
ローラー（１）（２）は棒状の把持部の軸に対して（３）に３０度の角度をつけて約５ｃｍの間隔で設けている。
【０００９】
【発明の効果】
この発明のマッサージ器を使用すると、二輪のローラーにより軽い力で体の各部位をマッサージすることが出来る。
【００１０】また、ローラーの大きさが指先の曲率に近似しているので滑らかに血流を促す事が出来、心地よい刺激が得られる。
【００１１】さらに、二輪のローラーの角度と適当な柄の長さによって、テコの作用も加味しながら腰や肩等への圧力を加減することにより指先で揉んでいるような感覚を得ることが出来る。
【図面の簡単な説明】
【図１】本発明のマッサージ器の正面図である。
【符号の説明】
（１）（２）・・・ローラー　（３）・・・把持棒
【図１】
2004041655.tif 000003
(57)【要約】【課題】スポーツをする上で必要とする下半身の強化方法として、股座の筋力を鍛える手段として、小型で安価な下駄状の台車を提供する。【解決手段】人が乗るための左右独立した下駄状の台車１は前後方向と直行した横方向にスライドできるように車輪を設けた。前期台車１に人が乗り股座を開いたり、閉じたりする動作を繰り返すことにより、股座の筋力を鍛えることができる。また、閉じる際に力がはいり、台車から足がすべり落ちたり、台車が転倒しないように土踏まず台３の傘部が両足の内側に掛かり台車は安定して引き寄せることができる。また、本案の他の使用方法として、腹ばいになり、両手で台車の前後の突起物２１　２２を握り、体を伸ばしたり、引き起越したり繰り返すことにより、腹筋や腕力を鍛えることができる。【選択図】　図１
2004041659.tif 000002
【特許請求の範囲】
【請求項１】
左右各々独立して一対をなす下駄状の台車において、下駄状の下面に固設された車輪が前後方向と直交した横方向に転がるようにしたことを特徴とした股座の筋力を鍛えるための台車
【発明の詳細な説明】
【０００１】
【産業上の利用分野】本発明は股座の筋力を鍛えるための治具である。
【０００２】
【従来の技術】従来は、股座の筋力を鍛えるためには、トレーニングセンター等で設置している、レール上を転がる台車や、ウエイトを利用した、大掛かりな高価なマシーンがある。
【０００３】
【発明が解決しょうとする課題】
１．股座の筋力を鍛えるための治具として、一般家庭内で使用できる小型で安価な治具が無い。
【０００４】
【課題を解決するための手段】本発明は、その欠点を解消するためになされたもので、写真１、写真２に示すように人が乗る一対の下駄状の台車を横方向にスライドできるようにした。
【０００５】
【作用】本発明では写真１に示すように下駄状の板（２）の上部に設けた土踏まず台（３）に両足を合わせて台車上（１）に乗せる。
また、下駄状の板（２）の下面には写真２に示すように横手方向に転がるように車輪（４）を固設してあるので、写真３の股座を閉じた状態から股座を開くと写真４の股座を開いた状態になる。次に股座を開いた写真４の状態から、体重のに逆らって股座を閉じると写真３の閉じた状態になる。これを繰り返すことにより、股座の筋力を鍛えるものである。
また、土踏まず台（３）はキノコ型をしているので、足を乗せて股座を引き寄せる時、土踏まず台（３）の傘の部分が両足の内側にあたり、台車は転倒することなく、内側に引き寄せることができる。
【０００６】
【実施例】写真１、写真２に本発明の実施例をしめす。
（２）は下駄状の板で前後に突起物（２１）、（２２）が形成されており、足の前後のずれ防止を図っている。試作品は木製であるが、量産を考えると樹脂成型が良い。（３）は土踏まず台で、内側には傘状のストッパーと外側には突起状のものが付いており、足のずれ防止と台車（１）の転倒防止を図っている。
試作品は木製であるが、量産を考えると樹脂成型が良い。
また、土踏まず台（３）は試作品では下駄状の板（２）に挿入する構造となっているが、下駄状の板（２）に固設しても良い。
下駄状の板（２）の下面には横手方向に転がるようにゴム製の車輪（４）を４個固設している。車輪をゴム製にしたのは床面に傷をつけないためと、転がり音を防止するためである。
（５）は緩衝ゴムで股を引き寄せて閉じたときに下駄状の板（２）同士が衝突した時の音を消すためのものである。
他の実施例として、写真５に示すように本発明品の台車（１）の片側１台を横向きに置き、下駄状の板（２）の前後の突起物（２１）、（２２）を左右の手で握り、腹ばいになって、前後に転がすことにより、既に市販されている腹筋鍛錬器としても応用できる。
なお、突起物（２１）（２２）は手で握りやすくするため円形状にしてある。
【０００７】
【発明の効果】１．本発明品はこのような構造であるため、平らで滑らかな場所があれば、どこでも使用することができ、安価に提供することができる。
２．股座の筋力を増強させることは、あらゆるスポーツに必要である。
また、足の太股の肉を引き締めるためにも効果的である。
【図面の簡単な説明】
【図１】は本発明の台車を上から見た斜視図
【図２】は本発明の台車を下から見た斜視図
【図３】は本発明の実施例で股座を閉じた状態を表す
【図４】は本発明の実施例で股座を開いた状態を表す
【図５】は本発明の他の実施例で腹筋等を鍛える状態を表す
【符号の説明】
１は台車、２は下駄状の板、２１は前部突起、２２は後部突起
３は土ふまず台、４は車輪、５は緩衝ゴム
【図１】
2004041659.tif 000003
【図２】
2004041659.tif 000004
【図３】
2004041659.tif 000005
【図４】
2004041659.tif 000006
【図５】
2004041659.tif 000007
(57)【要約】【課題】歯科治療時にストッピングを最適な軟らかさで加熱軟化保温できる器具を提供する。【解決手段】本体（１）に電熱ヒーター（６）と温度調節器（３）と電源スイッチ（４）と電源コード（５）をつけ、ヒーター（６）の上に熱伝導性の良い円柱形の金属（７）をつける。次に（７）に取り外しが容易な熱伝導性の良い金属管（８）をつけ、さらに上部に穴を開けた取り外しが容易なカバー（２）をつける。【選択図】　　図１
2004041622.tif 000002
【特許請求の範囲】
【請求項１】
本体（１）に電熱ヒーター（６）と温度調節器（３）と電源スイッチ（４）そして電源コード（５）をつけ、ヒーター（６）の上に熱伝導性の良い円柱形の金属（７）をつける。次にそれに取り外しが容易な熱伝導性の良い金属管（８）をつけ、さらに上部に穴を開けた取り外しが容易なカバー（２）をつける。
以上のごとく構成された歯科治療用ストッピング加熱軟化保温器
【発明の詳細な説明】
【０００１】
【発明の属する技術分野】
この発明は、歯科治療時にストッピングを加熱軟化して保温する器具に関するものである。
【０００２】
【従来の技術】
従来は、ストッピングを専用の運搬器（９）に入れ火で加熱して軟化していた。
【０００３】
【発明が解決しようとする課題】
これは次のような欠点があった。
（イ）火で加熱軟化するので軟らがさが一定でなく、使用する度に火で加熱しなければならないので大変面倒で使用しにくかった。
（ロ）加熱しすぎて患者に火傷を負わせることもあった。
本発明は、これらの欠点を除くためになされたものである。
【０００４】
【課題を解決するための手段】
本体（１）に電熱ヒーター（６）と温度調節器（３）と電源スイッチ（４）そして電源コード（５）をつけ、ヒーター（６）の上に熱伝導性の良い円柱形の金属（７）をつける。次にそれに取り外しが容易な熱伝導性の良い金属管（８）つけ、さらに上部に穴を開けた取り外しが容易なカバー（２）をつける。
本発明は．以上のごとく構成された歯科治療用のストッピング加熱軟化保温器である。
【０００５】
【発明の実施の形態】
以下．本発明の実施の形態について説明する。
（イ）　本体（１）に電熱ヒーター（６）と温度調節器（３）と電源スイッチ（４）と電源コード（５）をつける。
（ロ）　（６）の上に熱伝導性の良い円柱形の金属（７）をつける。
（ハ）　（７）に取り外しが容易で熱伝導性の良い金属管（８）をつける。
（ニ）　本体（１）に上部に穴を開けた取り外しが容易なカバー（２）をつける。
本発明は以上のような構造で、これを使用するときは電源コード（５）を電源に接続して、電源スイッチ（４）を入れ温度調節器（３）で最適な温度に調節したのちにストッピング運搬器（９）を穴に入れておき、使用時はストッピング運搬器（９）を取り出して丁度よい軟らかさになっているが確認してから患者の口に持っていって使用する。
この時に軟らかさが適当でなければ、温度調節器（３）で温度を調節することにより軟らかさを調整できる。
また、カバー（２）により加熱部に直接手が触れる危険がなく、カバー（２）と金属管（８）を取り外すことにより清掃も容易である。
【０００６】
【発明の効果】
ストッピングを歯科治療時に常時最適な軟らかさですぐに使用でき、患者に火傷を負わせる危険がなくなる。
【図面の簡単な説明】
【図１】本考案の斜視図である。
【図２】本考案を分解した斜視図である。
【図３】ストッピング運搬器の平面図である。
【図４】本考案の使用時の斜視図である。
【符号の説明】
（１）本体　（２）カバー　（３）温度調節器　（４）電源スイッチ
（５）電源コード　（６）電熱ヒーター　（７）円柱形の金属
（８）金属管　（９）ストッピング運搬器
【図１】
2004041622.tif 000003
【図２】
2004041622.tif 000004
【図３】
2004041622.tif 000005
【図４】
2004041622.tif 000006
(57)【要約】【課題】自動食器洗いの普及で、大きな食器水切りカゴを一日何回も使用する必要が無くなったが、必需品に変わりない。キッチンはリビングとの一体化で、物を置かないおしゃれなスペース空間になつた生活に応える物として、折りたためて、トレーと同じスペースでコンパクトに収納が出来、しかも従来の物と変わりなく、簡単、清潔に使用できる物。【解決手段】スライドレール＋収納（１）足＋溝ストッパー（２）付台（３）、カギ＋環付サイド（４）２点。板状固定バー（５）付カギ受け環＋取っ手付サイド（６）２点からなり、工具を使わず１・２・３の手順で使用が出来る。逆の手順で折り畳み、水受け＋収納トレー（７）に入れ蓋（８）をして、又はカゴ単一でコンパクトに収納、台所かかせない道具を、便利に新しい感覚で使用。【選択図】図１
2004041664.tif 000002
【特許請求の範囲】
【請求項１】
スライドレール＋収納（１）足＋溝ストッパー（２）付台（３）。カギ＋楕円鐶付サイド（４）２点。板状固定バー（５）付カギ受け鐶＋把手付サイド（６）２点で。構成された折りたたみ式、水きりカゴに、水受け＋収納　トレー（７）。その蓋（８）で、コンパクトに収納、立て掛けも出来るカゴである。
【発明の詳細な説明】
【０００１】
【発明の属する技術分野】
この発明はスペースを取る食器水切りカゴを、簡単に折りたたみが出来、しかもコンパクトに収納できる、家庭用品。
【０００２】
【従来の技術】
従来、簡易式で有る。
【０００３】
【発明が解決しようとする課題】
自動食器洗いの普及で、大きな食器水切りカゴを一日何回も使用する必要が無くなったが、やはり台所の必要品には変わりはない、キッチンはリビングとの一体化で、物を置かないおしゃれなスペース空間になった生活に、応える物である。
【０００４】
【課題を解決するための手段】
（イ）　スライドレール＋収納（１）足＋溝ストッパー（２）付台（３）の、スライドレール（１）上部ラインの前後２ヶ所に、取りつけたカギ＋楕円鐶付サイド（４）を前後に開く。
（ロ）　同じく台（３）の左右２ヶ所に、取り付けた板状固定バー（５）付、カギ受け鐶＋把手サイド（６）の、把手を左右にいっぱいに引き出しそのまま上に揚げて、台（３）の足＋溝ストッパー（２）に、板状固定バー（５）を入れて立てる。
（ハ）　前後に開いたカギ付サイド（４）を立ち上げて、かぎを（６）の鐶４ヶ所に差し込む。
（ニ）　以上それぞれ同時に１（イ）・２（ロ）・３（ハ）で、組み立て使用でき。逆の順序で折りたたみが簡単出来る。水受け＋収納トレー（７）は、使用のときは、水受けとして下に敷、収納のときは折りたたんだカゴを入れて、蓋（８）をして収納する。
【０００５】
【発明の実施の形態】
カゴは３回の手順で組み立て。使用中の移動は左右の把手を持っ行なう。
水受けトレーが収納ボックスを兼ね、使用後は又同じく逆の手順で折たたみ、水受けトレーに収めて蓋をして収納。
【０００６】
【実施例】
食器・野菜洗いの水切りに使用。
【０００７】
【発明の効果】
清潔にコンパクトに、トレーと同じ収納スペースで収納が出来るので、必要なときにだけ出して使用、キッチンを大きなカゴに占領されずに広く使える。カゴだけを折たたんで、まな板と並べて立て掛ける事も便利である。
【図面の簡単な説明】
【図１】本考案のパーツ、斜視図である。
【図２】本考案の組立て展開、図１図２、斜視図である。
【符号の説明】
１　スライドレール＋収納　　２　足＋溝ストッパー　　３　台
４　カギ＋楕円鐶付サイド　　５　板状固定バー
６　カギ受け鐶＋把手付サイド　７　水受け＋収納トレー　　８　蓋
【図１】
2004041664.tif 000003
【図２】
2004041664.tif 000004
【図２】
2004041664.tif 000005
(57)【要約】［課題］　この発明は，冷えた飲料物の入ったグラスの結露の水滴をとることを特徴とした帯状の吸水紙に関するものである。［解決手段］　この発明は，帯状の吸水紙（１）に飲料物が確認できる大きさの小穴（２）を適宜に設け，グラスの高さの２／３以下の帯幅（３）で，グラスの側面の下方に巻きつける。【選択図】　図１
2004041665.tif 000002
【特許請求の範囲】
【請求項１】
（イ）帯状の吸水紙（１）に適宜の数の小穴（２）を設ける。
（ロ）帯状の吸水紙（１）の帯幅（３）使用するグラスの高さの２／３以下とし，一周する長さで巻きつけ止める。
（ハ）小穴（２）は，グラスの中の飲料物が確認できる大きさのものを設ける。
以上のような特徴をもつ，グラスの結露をとる帯状の吸水紙。
【発明の詳細な説明】
【０００１】
［発明の属する技術分野］
この発明は，冷えたグラス生じる結露の水滴を吸いとるための，帯状の吸水紙に関するものである。
【０００２】
［従来の技術］
冷えた飲料物の入ったグラスは，グラスの側面に結露が生じ，水滴が指についたり，衣服に落下したり，テーブルを濡らしていた。今までのコースターは，グラスの下に敷く水適の受皿的なものと同時に装飾的な要素のみで，グラスから落下する水滴を防ぐ方法はなかった。ただ吸水紙をグラスの底から側面へ折り曲げておわん状にし，水滴の落下を防ごうとするものがあった（特許公報（Ａ）−特開平９−２９９２１２　コースターカバー）。これは使用がわずらわしく思われはずれ落ちる心配など，また美観の点でも実用的でなく，本発明とは，その特徴など全く別のものであった。
【０００３】
［発明が解決しようとする課題］
グラスに生じた結露の水滴について，過去に種々の発明や考案の挑戦がなされたが，主としてコースターの改良的なものであり，完全にその水滴の落下を防ぐものがなかった。
本発明の要点は，グラスの底に敷くコースター的なものとは全く別の視点から，グラスに巻く帯状の吸水紙のみで，同時に小穴をあけることで，扱い易い機能と美観をともなった簡単な方法で，今までの問題点を一挙に解決しようとするものである。
【０００４】
［課題を解決するための手段］
（イ）　帯状の吸水紙（１）に適宜の数の小穴（２）を設ける。
（ロ）　小穴（２）の大きさは，飲料物が確認できるくらいのものとする。
（ハ）　帯状の吸水紙（１）は，グラスの側面全部を覆わず，グラスの高さの，２／３以下の帯幅（３）とし，帯状の吸水紙（１）の両端の内側にあらかじめ粘着物（４）を塗布したものを使う。
（ニ）　帯状の吸水紙（１）の厚さは，キッチン・ペーパー等の吸水紙を二つから三つ折りくらいのものを使う。
本発明は，以上のような特徴をもつ，グラスの結露をとる帯状の吸水紙である。
【０００５】
［発明の実施の形態］
次に本発明の実施の形態について説明する。
帯状の吸水紙（１）の内側の両端に粘着物（４）を設け，空のグラスの下方に一周して巻きつけて止める。またはシール，粘着テープ等で止める。
帯状の吸水紙（１）には適宜の数の小穴（２）を設けたが，これは飲料物の減り具合が見える大きさで，６ｍｍ前後でも水滴は現われず指にも付かない。
帯幅（３）は，使用するグラスの高さの２／３〜１／２とし，グラスの上部まで覆わないことで，うっとうしさなど感じさせない。
冷えた飲料物を入れたグラスは，次第に結露が生じるが，水滴はすべて帯状の吸水紙（１）に吸収され，飲み終わる通常の時間内で濡れすぎて困ることなどなく，安全で形状に変化がなく目的を達することができる。
【０００６】
なお，本発明の実施にあたって次の如きことができる。
（イ）　グラスが上に向って拡がったものには，帯状の吸水紙（１）の形状を，ゆるやかな扇形（５）に断裁することで，平行に巻きつけることができるし，その逆の形状のグラスには，反対の形状の断裁を考慮すればよい。
（ロ）　帯状の吸水紙（１）の上辺を，波形等に断裁するデザインも可能。
（ニ）　小穴（２）も丸以外の四角，三角，菱形，星形などの形状も可能。
【０００７】
［発明の効果］
したがって，結露した水滴はグラスの中の氷があった場合でも，氷が溶けるまで（テストの結果３０分〜６０分）持つ指にも付かず，落下もなく，テーブルを濡らすこともない。また小穴（２）は，飲料物が見える効果だけでなく清涼感を与え，同時にグラスを持つ指のすべりを防ぐのに役立った。
帯状の吸水紙（１）は，イラストレーションと文字等をカラー印刷することで家庭で楽しめるし，特に企業の広告の宜伝で，喫茶店，レストラン等での使用により新しい広告媒体としてその簡便さに期待できる。
【図面の簡単な説明】
【図１】本発明の正面図である。
【図２】本発明の使用状態を示す斜視図である。
【図３】本発明の他の実施例の正面図と，その使用状態を示す斜視図である。
【符号の説明】
１　帯状の吸水紙
２　小穴
３　帯幅
４　粘着物
５　扇形の帯状の吸水紙
【図１】
2004041665.tif 000003
【図２】
2004041665.tif 000004
【図３】
2004041665.tif 000005
(57)【要約】【課題】携帯電話の持ち運びを快適にし、着信時の取出しもスムーズにできる様にする。ケースの表面にデザインをほどこし、アクセサリーを兼ねた物とする。【解決手段】ビニール系、皮、布などの材質で作られた、携帯電話入れケースに、バンド等を取り付け、腕に装着できるようにする。そのケースの表面に、人形を付けたり、絵を描き、アクセサリーとする。【選択図】　　　　図１
2004041663.tif 000002
【特許請求の範囲】
【請求項１】
ビニール系、皮、布などの材質で作られた、携帯電話の収めるケースを、同質のバンド等で腕に取り付ける。そのケースの表面に動植物など、様々な絵をプリントしたり、人形等をつけてデザイン化し、それ自体をアクセサリーとした物。
【発明の詳細な説明】
【０００１】
【発明の属する技術分野】
この発明は、携帯電話の持ち運びを快適にし、かつアクセサリー的要素を加えた携帯電話入れケースに関する物である。
【０００２】
【従来の技術】
従来の持ち運び方法としては、ポケットに入れてクリップ等で留める。またはズボンのベルトに着ける。首からぶら下げる。ハンドバック等にいれる。などの実用本位のみで、しかも軽装の際の入れ場所に、不便さを感じていた。
【０００３】
【発明が解決しようとする課題】
この実用本位のみと入れ場所の不便さを解決する為に、本発明はそのケースの表面にデザインをほどこし、腕に取り付ける様にした物である。直、アクセサリー的である以上、軽装での私的な外出を、主に想定している。
【０００４】
【課題を解決するための手段】
ケースの背面またはサイドに、腕時計のようなバンドをつける。またはサポータのように伸縮性を持った材質で輪にし、腕を通す。マジックテープを使用する。ストッパー付の器具をつけた紐状にする。このようなバンドを使い、上腕部に固定する。ケースの表面にアクセサリーとしてのデザインをほどこす。
【０００５】
【発明の実施の形態】
腕に付けると言う感覚。ケース自体がアクセサリーとしての見せる対象。それらに実用性を加味し、若者向きなファッションとする。
【０００６】
【実施例】
デザインは様々であり、ケースが人形その物でも良いし、綿毛、羽毛のような物、リボン、または単なる絵でも良い。ひとつの例として、動物のコアラをモチーフにし、腕を木に見たて、抱きついたような図柄にすれば、ユニークなデザインとなる。腕に付けるケースを、タバコなどの小物入れとしても良い。
【０００７】
【発明の効果】
腕に固定するので入れ場所に悩む事なく、また携帯の有無を目視で確認する事ができる。電波の受信が良好であり、着信を受けてからの取出しがスムーズである。アクセサリーとしての個性的な、おしゃれを楽しむ事ができる。
【図面の簡単な説明】
【図１】本発明の斜視図である。
【図２】本発明の、腕に装着した使用図である。
【符号の説明】
１　はケース表面　　２　はバンド　　３　は電話入れ口　４　は底部
５　は脱落留
【図１】
2004041663.tif 000003
【図２】
2004041663.tif 000004
(57)【要約】【課題】髪止めに貼りつけることで、長時間ずり落ちを防ぎ、まとめ髪を保持出来るゴムひもを提供する。【解決手段】帯状のゴムひも（１）の裏に粘着部分を設け、髪止めの、髪に直接あたる平面部分（４）に貼りつける。【選択図】　図１
2004041667.tif 000002
【特許請求の範囲】
【請求項１】
裏面が粘着部分（２）となっていて、髪止めの髪が直接あたる平面部分（４）に接着させて使う、帯状のゴムひも（１）。
【発明の詳細な説明】
【０００１】
【発明の属する技術分野】
この発明は、髪止めを髪に付けた際のずり落ちを防止する為に貼りつけるゴムひもに関するものである。
【０００２】
【従来の技術】
従来より、髪止めクリップやバレッタといったワンタッチで手軽に髪をまとめられる道具があった。
【０００３】
【発明が解決しようとする課題】
これには次のような欠点があった。
（イ）　せっかくまとめても、止めているうちにずり落ちてきたり、髪が乱れてきたりしやすく、何度も直さないといけなかった。
（ロ）　髪の一部をゴムで結んで、それを芯にして髪止めを付ける事で、長時間髪型を保つ方法もあったが、手間がかかるので、手軽さが失われてしまっていた。
本発明は、以上の欠点を解決するためになされたものである。
【０００４】
【課題を解決するための手段】
帯状のゴムひも（１）の裏面を粘着部分（２）として粘着性を持たせる。
そして、この粘着部分（２）をはくり紙（３）で覆う。
本発明は、以上の構成よりなるゴムひもである。
【０００５】
【発明の実施の形態】
以下、本発明の実施例について説明する。
（イ）　帯状のゴムひも（１）の裏面を粘着部分（２）として粘着性を持たせる。
（ロ）　粘着部分（２）に沿って、はくり紙（３）で覆う。
本発明は以上の構成よりなっている。
本発明を使用するときは、はくり紙（３）をはがし、髪止めの、髪が直接あたる平面部分（４）に沿って貼りつける。
プラスチックや金属などと比べ、ゴムはまさつ度が高い為に髪をよく固定し、格段とずり落ちにくくなる。
ゴムひも（１）は、裏面の粘着部分（２）により接着されている為、よじれないので髪にからまる事はない。
【０００６】
【発明の効果】
本発明を使用することによって、髪止めを付けた際、ずり落ちにくい為、何度も付け直す必要がない。
下準備として髪をゴムで結ばなくても良い為、手軽に髪をまとめられるという本来の良さが生かされる。
【図面の簡単な説明】
【図１】本発明の斜視図である。
【図２】本発明を装着した髪止めクリップの側面図である。
【図３】本発明を装着したバレッタの側面図である。
【符号の説明】
１　ゴムひも、２　粘着部分、３　はくり紙、４　平面部分
【図１】
2004041667.tif 000003
【図２】
2004041667.tif 000004
【図３】
2004041667.tif 000005
(57)【要約】【課題】輪投げのオモチャというと子供だけのオモチャに昔からなってしまっています。又、床に輪が落ちる音でマンション等では問題があります。【解決手段】布地（１）に複数ケ所縁取りした穴（２）をあけ、それぞれの穴の下にホール受け台（３）を置き、ポール（４）を差し込みます。この発明した輪投げは、変化の多様性、変化のユーモア性等からデザインも多様化でき、年齢、男女の差もなく、皆で楽しめます。デザインもそれぞれの地域、風土によって千差万別の楽しみ方ができます。何枚かの異なるデザインの布を用意しただけでも変化は一変します。【選択図】　図１
2004041620.tif 000002
【特許請求の範囲】
【請求項１】
布地（１）に複数の縁取りをした穴（２）を開ける。それぞれの穴（２）の下にそれぞれのポール受け台（３）を置き、それぞれにポール（４）を差し込み立てる輪投げのオモチャセット。
【請求項２】
ポールの受け台（３）とポール（４）は布（１）をはずして鑑賞用の置物にもなる美術工芸品。布（１）も床に置いたり、壁に掛けたり出来る美術工芸品。
デザインはすべて制作者の個性による。
【発明の詳細な説明】
【０００１】
【発明の属する技術分野】オモチャ製品
【０００２】
【従来の技術】ポールの受け台（３）とポール（４）との間に布（１）をはさみこむ輪投げは存在しません。
【０００３】
【発明が解決しようとする課題】ポールの受け台（３）とポール（４）との間に布（１）をはさむ事により輪が床に落ちた際にかんしょう材としての役目をはたし階下等への消音に役立ち、デザインの多様性、ユーモア性にも寄与する。
【０００４】
【課題を解決するための手段】従来の輪投げはデザインの演出上の多様性、ユーモア性に欠ける為に大人にとっても鑑賞用にはなりえませんでした。又、輪が床に落ちた際の音が問題でマンション等では採用出来ない事もあり得ます。ポールの受け台（３）とポール（４）との間に全体で一枚のデザインされた布（１）をはさむ事によって、布（１）の凹凸変化による、デザインの多様性、ユーモア性が著しく向上します。
【０００５】
【発明の実施の形態】一枚の布地（１）に複数カ所に縁取りされた穴（２）をあけ、それぞれの穴（２）の下にポール受け台を置き、その上にポール（４）を差し込みます。それぞれのパーツは形もデザインも千差万別の豊かなものとなります。
【０００６】
【発明の効果】年齢、男女の別なく、共に豊かに楽しめるオモチャがなく、本来の団らんがもてません。
この輪投げオモチャはデザインの多様性、ユーモア性からアートを楽しみながらゲームを楽しむ事も出来、布（１）の柄を何枚ももっていれば、年齢、季節、好みで千差万別の楽しみが出来ます。
【図面の簡単な説明】
【図１】全体の斜視図
【図２】ポール受け台（３）と布の穴（２）とポール（４）の部分断面図
【符号の説明】
１．　布地
２．　布地の穴
３．　ポール受け台
４．　ポール
【図１】
2004041620.tif 000003
【図２】
2004041620.tif 000004
(57)【要約】　　　（修正有）【課題】この発明は、全自動洗濯機の水槽の内側にある洗濯槽の外側面にハネを設け、洗濯槽の高速回転時に発生する強力な風により水槽内の水気を飛ばし、カビが生えることを防止する装置に関するものである。【解決手段】水槽２の内側にある洗濯槽１の外側面にハネ３を設け、洗濯機の操作ボタンパネル４上にカビ防止ボタン５を設ける。【選択図】図２
2004041649.tif 000002
【特許請求の範囲】
【請求項１】
水槽２の内側にある洗濯槽１の外側面に、ハネ３を設けた洗濯機水槽内のカビ防止装置。
【請求項２】
洗濯機の操作ボタンパネル４上に、カビ防止ボタン５を設けた請求項１の洗濯機水槽内のカビ防止装置。
【発明の詳細な説明】
【０００１】
【発明の属する技術分野】
この発明は、全自動洗濯機の水槽の内側にある洗濯槽の外側面にハネを設け、洗濯槽の高速回転時に発生する強力な風により水槽内の水気を飛ばし、カビが生えることを防止する装置に関するものである。
【０００２】
【従来の技術】
従来の全自動洗濯機は、水槽と内側にある洗濯槽との間隔が狭く、又通気性も悪いことからこの部分にカビが大量に発生した。　その為、通常の洗濯はカビ水で洗濯しているのも同然であり、様々な病気の原因にもなると考えられる。　又、水槽内のカビを除去する洗剤もあるが能力も様々であり、使用後の洗濯した洗濯物に除去されたカビが暫くの間付着したり、洗剤の原料が環境面で影響を及ぼす等問題がある。
【０００３】
【発明が解決しようとする課題】
したがって、カビに関しては洗濯機メーカーではなく、カビが生えてしまってからの洗剤メーカーの研究が盛んであった。　この発明は、水槽内の最もカビの生える部分に対し、強力な風を発生させることでカビの原因となる水気を飛ばし、カビの発生を未然に防ぐために発明されたのである。
【０００４】
【課題を解決するための手段】
いま、その構成を説明すると、
水槽２の内側にある洗濯槽１の外側面にハネ３を設ける。　又、洗濯機の操作ボタンパネル４上にカビ防止ボタン５を設ける。
【０００５】
【発明の実施の形態】
次に、本発明の実施の形態を述べると、脱水時に高速で回転する洗濯槽１の外側面に設けたハネ３により洗濯槽１と水槽２との空間に強い風が発生し、双方の面に付着した水滴がハネ３の形状の風圧により水槽２の下側に押し流されると共に、この段階で水気もある程度飛ばすことも出来る。さらに、洗濯が完了した段階で操作ボタンパネル４上のカビ防止ボタン５を押し、所定の時間洗濯槽１を回転させることで目的を達することが出来る。
【０００６】
【発明の効果】
したがって、洗濯槽１の外側面及び水槽２の内側面に付着した水気は、お互いの空間に発生した強い風により飛ばされてしまい、カビの発生を防ぐことが出来る。
【図面の簡単な説明】
【図１】本発明の平面図
【図２】本発明の斜視図
【図３】本発明の使用斜視図
【符号の説明】
１は洗濯槽
２は水槽
３はハネ
４は操作ボタンパネル
５はカビ防止ボタン
【図１】
2004041649.tif 000003
【図２】
2004041649.tif 000004
【図３】
2004041649.tif 000005
(57)【要約】【課題】濡れたコースターは、コップを持ち上げるとコースターもコップの底にくっ付いていっしょに持ち上げられたが、そのコースターがコップにくっ付かないようにするとともに、無色透明の２枚のコースターの底面を重ね合わすと同時に、その間に広告を挟み両面を使えるコースターにして、挟まれた広告を見ることができ、いつでも簡単にその広告を取り替えられるようにする。【解決手段】無色透明のプラスチック製コースター１の上面に凹凸のデザインを施し、また無色透明のプラスチック製コースター２にも異なる凹凸のデザインを施し、その２枚のコースターの底面を重ね合わすときに広告をその間に挟み、重ね合わせた２枚のコースターの４つの角に金属製のカバーをはめる。【選択図】　図４
2004041647.tif 000002
【特許請求の範囲】
【請求項１】
コースターのコップを置く面に凹凸のデザインを作り、コップを持ち上げたときにコースターがコップにくっ付くのを防ぐようにしたものである。
【請求項２】
２枚のコースターの底面を重ね合わせることにより、両面を利用できるのでコップの底面の形により、コップをコースターに置いた時にコップの安定性を保つ面を選び利用できる両面コースターである。
【請求項３】
２枚のコースターの材質は、プラスチック製で色は無色透明である。そして、その２枚のコースターの間に広告を入れて挟み閉じることにより、両面が使えるコースターの中の広告を見ることができるようにしたものである。
【発明の詳細な説明】
【０００１】
【発明の属する技術分野】
本発明は、コースターが水滴などでコップにくっ付かないように、コースターのコップに接する面に凹凸のデザインを施したものである。また、本発明は、２枚のコースターの底面を重ね合わせることにより両面を利用するこができ、コップの底面の形により、コップが安定する面を選ぶことができるようにしたものである。また、本発明は、無色透明の２つのコースターの底面を重ね合わせるときに、広告をその間に入れて挟みいつでも簡単に広告の入替えができるようにしたものである。
【０００２】
【従来の技術】
従来、コースターは、氷を入れた冷たいコップが水滴をつくってそれらがコースターの上面を濡らすと、コップを持ち上げたときにコースターもコップの底面にくっ付いて持ち上げられる。
【０００３】
【発明の実施の形態】
本発明は、コースターの上面に水滴が溜まっても、コップを持ち上げたとにコースターがそのコップの底面ににくっ付いて持ち上がらないように、コースターの上面に凹凸のデザインを施したものであり、かつコースターはプラスチック製で色は無色透明になっており、２枚のコースターの底面を重ね合わすときに広告をその間に入れて挟み、金属カバーを重ね合わせたコースターの４つの角にそれぞれはめることにより、両面が使えコースターの中の広告をを見ることができ、いつでも広告を簡単に取り替えることができる。それらを図面で説明すれば、上面に１６個の四角すいを彫ったコースター１と、上面に８個の三角形を彫ったコースター２をそれぞれの底面で重ね合わせると同時に、広告３をその間に入れて挟み、そのコースターの４つ角に金属カバー４をはめたものである。
【０００４】
【発明の効果】
このようにすれば、水滴によってコップにコースターがくっ付いていっしょに持ち上がることもない。また、両面に違ったデザインが施されているためコップをコースターに置いた時に、安定するデザインの面を選ぶことが可能。また、コースターに広告を入れ、いつでもそれを簡単に取り替えることができ宣伝効果にもなる。
【図面の簡単な説明】
【図１】コースターの上面に１６個の四角すいを彫った平面図である。
【図２】コースターの上面に８個の三角形を彫った平面図である。
【図３】２枚のコースターの底面で広告を挟んだ側面図である。
【図４】２枚のコースターの底面で広告を挟んで、コースターの４つ角に金属カバーをはめた平面図である。
【図５】２枚のコースターの底面で広告を挟んで、コースターの４つ角に金属カバーをはめた平面図の裏面である。
【図６】２枚のコースターの底面で広告を挟んで、コースターの４つ角に金属カバーをはめた側面図である。
【符号の説明】
１　上面に１６個の四角すいを彫ったコースター
２　上面に８個の三角形を彫ったコースター
３　広告
４　金属カバー
【図１】
2004041647.tif 000003
【図２】
2004041647.tif 000004
【図３】
2004041647.tif 000005
【図４】
2004041647.tif 000006
【図５】
2004041647.tif 000007
【図６】
2004041647.tif 000008